(57)【要約】      （修正有）【課題】調理容器の温度を検出するための温度検出手段（温度検出装置）が、五徳上において調理容器を移動させる場合に邪魔にならず、使い勝手のよいガスコンロを提供する。【解決手段】コンロバーナと、五徳５１と、調理容器４０の温度を検出する温度検出装置９と、コンロバーナを制御する制御手段とを備えたガスコンロにおいて、磁極が上下方向に配置された永久磁石１５が、温度検出装置９を構成する移動側支持筒１２に配設され、通電によって、永久磁石１５に対する反発力を生じる電磁石１６が固定側支持部材１１に配設され、電磁石１６に通電される電流を制御して、移動側支持筒１２が下降して当接体１３の上面が五徳５１の上端より下方に位置する温度検出装置９の下降状態と、移動側支持筒１２が上昇して当接体１３の上面が五徳５１の上端より上方に位置する温度検出装置９の上昇状態とを切り換える切換手段を備えた構成とする。【選択図】図４
2018031563.tif 000002
【特許請求の範囲】
【請求項１】
調理容器を加熱するコンロバーナと、前記調理容器が載置される五徳と、前記コンロバーナを上下方向に貫通する貫通口に挿通されて前記調理容器の温度を検出する温度検出装置と、前記コンロバーナの火力を制御する制御手段とを備えるガスコンロであって、
前記温度検出装置が、（ａ）一端側が前記ガスコンロに設けた所定の固定部に固定され、前記一端側に対する他端側が上下方向に伸びるように配設された固定側支持部材と、（ｂ）前記固定側支持部材に支持され、前記固定側支持部材に対して上下動可能に構成された移動側支持筒と、（ｃ）前記移動側支持筒の上端に配設され、前記調理容器の上下動に追随して上下動することにより、前記調理容器の底面に当接するように構成された当接体と、（ｄ）前記当接体の下面側に、前記当接体と熱的に結合する態様で配設されたサーミスタとを具備しているとともに、
磁極が上下方向に配置された永久磁石が前記移動側支持筒に配設され、
通電によって、前記永久磁石に対する反発力を生じ、前記永久磁石を上方に付勢するように作用する電磁石が前記固定側支持部材に配設され、
前記電磁石に通電される電流を制御することにより、前記移動側支持筒が下降して前記当接体の上面が前記五徳の上端より下方に位置する前記温度検出装置の下降状態と、前記移動側支持筒が上昇して前記当接体の上面が前記五徳の上端より上方に位置する前記温度検出装置の上昇状態とを切り換える切換手段を備えていること
を特徴とする、温度検出装置を備えたガスコンロ。
【請求項２】
前記コンロバーナへの点消火を指令する点消火操作部を備えるとともに、
前記点消火操作部と前記制御手段とが前記切換手段を構成し、
前記点消火操作部による点火指令の発令によって前記上昇状態に切り換えられ、前記点消火操作部による消火指令の発令によって前記下降状態に切り換えられるように構成されていること
を特徴とする請求項１記載の、温度検出装置を備えたガスコンロ。
【請求項３】
前記制御手段への通電と非通電とを切り換える電源スイッチを備えるとともに、
前記電源スイッチと前記制御手段が前記切換手段を構成し、
前記電源スイッチの操作による前記制御手段への通電によって前記上昇状態に切り換えられ、前記電源スイッチの操作による前記制御手段への通電の遮断によって前記下降状態に切り換えられるように構成されていること
を特徴とする請求項１記載の、温度検出装置を備えたガスコンロ。
【請求項４】
前記永久磁石が前記移動側支持筒の下端側に配設され、前記電磁石が前記固定側支持部材の下端側に配設されていることを特徴とする請求項１〜３のいずれかに記載の、温度検出装置を備えたガスコンロ。
【発明の詳細な説明】
【技術分野】
【０００１】
本発明は、ガスコンロに関し、詳しくは、鍋や釜などの調理容器の温度を検出する温度検出装置を備えたガスコンロに関する。
【背景技術】
【０００２】
ガスコンロには、鍋や釜などの調理容器の温度を検出する温度検出装置と、検出された調理容器の温度により、コンロバーナの火力を制御する制御手段を備えたガスコンロがある。
【０００３】
そのようなガスコンロとして、特許文献１には、調理器の温度を検出する温度検出手段（温度検出装置）と、火力調節を行う制御手段とを備えた加熱調理器（ガスコンロ）であって、加熱手段であるコンロバーナによって加熱される調理容器の下面に、温度検出手段の当接体（集熱板）が当接して、調理容器の下面の温度を検出し、その検出温度に応じて、制御手段がコンロバーナの火力調節を行うようにした加熱調理器（ガスコンロ）が提案されている。
【先行技術文献】
【特許文献】
【０００４】
【特許文献１】特開２０１３−１６４２５７号公報
【発明の概要】
【発明が解決しようとする課題】
【０００５】
しかしながら、上述の特許文献１の加熱調理器（ガスコンロ）の場合、温度検出手段（温度検出装置）の当接体（集熱板）は、調理容器が載置されない状態において、調理容器を載置する五徳の上端よりも上方に突出した状態となる。
【０００６】
その場合、一つのコンロバーナの五徳上から、他のコンロバーナの五徳上に調理容器を移動させたり、一旦五徳上から調理容器を退避させて、再び当該五徳上に調理容器を戻したりする場合に、五徳の上端よりも上方に突出した温度検出手段が、調理容器の移動の邪魔になる場合があり、使い勝手が悪いという問題点がある。
【０００７】
本発明は、上記課題を解決するものであり、調理容器の温度を検出するための温度検出手段（温度検出装置）が、五徳上において調理容器を移動させる場合に邪魔になるようなことがなく、使い勝手のよいガスコンロを提供することを目的とする。
【課題を解決するための手段】
【０００８】
上記課題を解決するため、本発明の温度検出装置を備えたガスコンロは、
調理容器を加熱するコンロバーナと、前記調理容器が載置される五徳と、前記コンロバーナを上下方向に貫通する貫通口に挿通されて前記調理容器の温度を検出する温度検出装置と、前記コンロバーナの火力を制御する制御手段とを備えるガスコンロであって、
前記温度検出装置が、（ａ）一端側が前記ガスコンロに設けた所定の固定部に固定され、前記一端側に対する他端側が上下方向に伸びるように配設された固定側支持部材と、（ｂ）前記固定側支持部材に支持され、前記固定側支持部材に対して上下動可能に構成された移動側支持筒と、（ｃ）前記移動側支持筒の上端に配設され、前記調理容器の上下動に追随して上下動することにより、前記調理容器の底面に当接するように構成された当接体と、（ｄ）前記当接体の下面側に、前記当接体と熱的に結合する態様で配設されたサーミスタとを具備しているとともに、
磁極が上下方向に配置された永久磁石が前記移動側支持筒に配設され、
通電によって、前記永久磁石に対する反発力を生じ、前記永久磁石を上方に付勢するように作用する電磁石が前記固定側支持部材に配設され、
前記電磁石に通電される電流を制御することにより、前記移動側支持筒が下降して前記当接体の上面が前記五徳の上端より下方に位置する前記温度検出装置の下降状態と、前記移動側支持筒が上昇して前記当接体の上面が前記五徳の上端より上方に位置する前記温度検出装置の上昇状態とを切り換える切換手段を備えていること
を特徴としている。
【０００９】
本発明の温度検出装置を備えたガスコンロにおいては、
前記コンロバーナへの点消火を指令する点消火操作部を備えるとともに、
前記点消火操作部と前記制御手段とが前記切換手段を構成し、
前記点消火操作部による点火指令の発令によって前記上昇状態に切り換えられ、前記点消火操作部による消火指令の発令によって前記下降状態に切り換えられるように構成されていること
が好ましい。
【００１０】
また、前記制御手段への通電と非通電とを切り換える電源スイッチを備えるとともに、
前記電源スイッチと前記制御手段が前記切換手段を構成し、
前記電源スイッチの操作による前記制御手段への通電によって前記上昇状態に切り換えられ、前記電源スイッチの操作による前記制御手段への通電の遮断によって前記下降状態に切り換えられるように構成されていること
が好ましい。
【００１１】
また、前記永久磁石が前記移動側支持筒の下端側に配設され、前記電磁石が前記固定側支持部材の下端側に配設されていることが好ましい。
【発明の効果】
【００１２】
本発明の温度検出装置を備えたガスコンロは、上述のように、温度検出装置が、（ａ）固定側支持部材と、（ｂ）固定側支持部材に支持され、固定側支持部材に対して上下動可能に構成された移動側支持筒と、（ｃ）移動側支持筒の上端に配設され、調理容器の上下動に追随して上下動し、調理容器の底面に当接するように構成された当接体と、（ｄ）当接体の下面側に、当接体と熱的に結合するように配設されたサーミスタとを具備しているとともに、磁極が上下方向に配置された永久磁石が移動側支持筒に配設され、通電によって、永久磁石に対する反発力を生じ、永久磁石を上方に付勢するように作用する電磁石が固定側支持部材に配設され、電磁石に通電される電流を制御することで、移動側支持筒が下降して当接体の上面が五徳の上端より下方に位置する温度検出装置の下降状態と、移動側支持筒が上昇して当接体の上面が五徳の上端より上方に位置する温度検出装置の上昇状態とを切り換える切換手段を備えている。
【００１３】
そのため、温度検出装置の下降状態では、五徳上において調理容器を移動させる際に、温度検出装置が邪魔になることがない。
【００１４】
しかも、温度検出装置の上昇状態においては、五徳上に調理容器が載置されたときに当接体が調理容器の下面の上下位置に追随して上下するので、温度検出装置によって調理容器の温度を適切に検出することができる。
【００１５】
さらに、電磁石への通電によって永久磁石に対して生じる反発力が、移動側支持筒を上方に向けて付勢する付勢力として作用するので、移動側支持筒を上方に向けて付勢するスプリングなどの付勢手段を別途必要としないため、構造を簡素化することが可能になる。
【００１６】
また、コンロバーナへの点消火を指令する点消火操作部を備えるとともに、点消火操作部と制御手段とが切換手段を構成し、点消火操作部による点火指令の発令によって上昇状態に切り換えられ、点消火操作部による消火指令の発令によって下降状態に切り換えられるように構成した場合、点消火操作部の点消火操作によって上昇状態と下降状態とが切り換えられるので、使い勝手の良好なガスコンロを提供することが可能になる。
【００１７】
また、制御手段への通電と非通電とを切り換える電源スイッチを備えるとともに、電源スイッチと制御手段が切換手段を構成し、電源スイッチの操作による制御手段への通電によって上昇状態に切り換えられ、電源スイッチの操作による制御手段への通電の遮断によって下降状態に切り換えられるように構成した場合、電源スイッチの操作による、制御手段への通電及び非通電によって上昇状態と下降状態とが切り換えられるので、使い勝手の良好なガスコンロを提供することが可能になる。
【００１８】
また、永久磁石を移動側支持筒の下端側（中央よりも下側の位置）に配設し、電磁石を固定側支持部材の下端側（中央よりも下側の位置）に配設するようにした場合、コンロバーナの加熱による永久磁石や電磁石への熱影響を抑制して、信頼性を向上させることができる。
【図面の簡単な説明】
【００１９】
【図１】本発明の一実施形態にかかる温度検出装置を備えたガスコンロの外観構成を示す斜視図である。
【図２】本発明の一実施形態にかかる温度検出装置を備えたガスコンロの、温度検出装置の下降状態における要部構成を示す側面図である。
【図３】本発明の一実施形態にかかる温度検出装置を備えたガスコンロの、温度検出装置の上昇状態における要部構成を示す側面図である。
【図４】本発明の一実施形態にかかる温度検出装置を備えたガスコンロの、温度検出装置上に調理容器を載置した載置状態における要部構成を示す側面図である。
【図５】本発明の一実施形態にかかる温度検出装置を備えたガスコンロの、温度検出装置の昇降制御サブルーチンのフローチャートを示す図である。
【発明を実施するための形態】
【００２０】
［実施形態］
以下、本発明の実施形態を示して、その特徴とするところをさらに詳しく説明する。
【００２１】
＜ガスコンロの基本構造＞
図１は本発明の実施形態にかかる温度検出装置を備えたガスコンロ（この実施形態ではグリル付きガスコンロ（ドロップインコンロ））の外観構成を示す図である。
【００２２】
この実施形態の温度検出装置を備えたガスコンロ（以下、単にガスコンロともいう）Ａは、図１に示すように、コンロバーナとして、標準バーナ１ａ、高火力バーナ１ｂ、および小バーナ１ｃの３つのコンロバーナ（加熱部）を備えており、トッププレートの上部に、標準バーナ１ａ、高火力バーナ１ｂ、および小バーナ１ｃに対する鍋などの被加熱物（調理物）を受け止め、支持するための五徳５１が載置されている。
【００２３】
そして、標準バーナ（コンロバーナ）１ａには、被加熱物（例えば、調理容器である鍋の底）に接触してその温度を検出するためのサーミスタからなる温度検出装置（温度センサ）９が，標準バーナ１ａを上下方向に貫通する貫通口２（図２〜４参照）に挿通されて標準バーナ１ａの中央を貫通するように配設されている。なお、この温度検出装置９を備えた標準バーナ１ａにより、炊飯、湯沸かし、揚げものなどの温調調理を行うことができる。
【００２４】
また、グリル部４は、前面部が開口した箱状に形成されたグリル庫内に、魚などの被調理物を載置するための載置部として機能する焼き網を設けて構成されている。また、グリル庫内には、加熱部として、１つの上側バーナ（図示せず）と２つの下側バーナ（図示せず）が配設されている。
【００２５】
さらに、ガスコンロＡの前面（前側面）には、上述のコンロバーナとグリルバーナの点火および消火、火力調節と各種の設定とを指令する手動操作部３４が設けられている。
【００２６】
また、このガスコンロＡは、各種の制御を実行するように構成された制御部（制御手段）（図示せず）を備えている。制御手段は、手動操作部３４にて指令された指令情報に基づいて、コンロバーナおよびグリルバーナの燃焼状態などを制御するように構成されている。
また、ガスコンロＡの前面には、自動復帰型の押し操作式の電源スイッチ２４、電源ランプ２５が設けられており、電源スイッチ２４を押し操作する毎に、制御手段への通電と非通電が切り換えられるように構成されている。
【００２７】
上記手動操作部３４は、コンロバーナ（標準バーナ１ａ、高火力バーナ１ｂ、小バーナ１ｃ）の夫々に対して各別に点火・消火や火力調節を指令するための３つの点消火操作部（加熱状態調節部）２１（２１ａ，２１ｂ，２１ｃ）、標準バーナ１ａの温調機能（湯沸かし、揚げ物、炊飯）とタイマ機能についての操作および表示を行う標準バーナ用の付加機能操作・表示部３２、グリルバーナ（特に図示しない上側バーナと下側バーナ）の火力調節などを行うグリルバーナ操作部２２、グリルバーナの作動状態の切り換えを指令するグリル用の付加機能操作・表示部３３などを備えている。
【００２８】
＜特徴的構成＞
次に、本発明の実施形態にかかるガスコンロＡの特徴的な構成について説明する。
【００２９】
本発明の一実施形態にかかるガスコンロＡにおいて、標準バーナ（コンロバーナ）１ａに用いられている温度検出装置９は、図２〜４に示すように、（ａ）一端側１１ａがガスコンロＡに設けた固定部６１に固定され、一端側１１ａに対する他端側１１ｂが上下方向に伸びるように配設された固定側支持部材１１と、（ｂ）固定側支持部材１１に支持され、固定側支持部材１１に対して上下動可能に構成された移動側支持筒１２と、（ｃ）移動側支持筒１２の上端に配設され、調理容器４０の上下動に追随して上下動することにより、調理容器４０の底面に常時当接するように構成された当接体１３と、（ｄ）当接体１３の下面側に、当接体１３と熱的に結合する態様で配設されたサーミスタ１４とを備えている。なお、サーミスタ１４はサーミスタ用リード線４５を介して制御手段（図示せず）に接続されている。
【００３０】
そして、移動側支持筒１２の下端側（中央よりも下側の位置）の外周面には、磁極が上下方向に配置された永久磁石１５が配設されている。この実施形態では、Ｎ極が下向きに、Ｓ極が上向きになるよう２個の永久磁石１５（１５ａ，１５ｂ）が、移動側支持筒１２を介して対向する位置に配設されている。
ただし、永久磁石１５の数は２個に限られるものではなく、１個のみ、あるいは、３個以上であってもよい。
【００３１】
また、固定側支持部材１１の下端側（中央よりも下側の位置）には、通電によって永久磁石１５を上方に付勢する付勢力となる反発力を生じる電磁石１６が配設されている。なお、この実施形態では、２個の永久磁石１５（１５ａ，１５ｂ）のそれぞれの下側に位置するように、２つの電磁石１６（１６ａ，１６ｂ）が配設されている。
【００３２】
さらに、この実施形態にかかるガスコンロＡは、電磁石１６（１６ａ，１６ｂ）に通電する電流を制御して、当接体１３の上面が五徳５１の上端より下方に位置する温度検出装置９の下降状態と、移動側支持筒１２が上昇して当接体１３の上面が五徳５１の上端より上方に位置する温度検出装置９の上昇状態とを切り換える切換手段を備えている。すなわち、電磁石１６（１６ａ，１６ｂ）に通電する電流を制御するだけで、上述の下降状態と、上昇状態とを切り換えることができるように構成されている。
【００３３】
そして、この実施形態にかかるガスコンロＡでは、標準バーナ（コンロバーナ）１ａへの点消火を指令する点消火操作部２１ａと、特に図示しない制御手段とが、上述の下降状態と、上昇状態とを切り換える切換手段を構成している。
【００３４】
この実施形態のガスコンロＡは、上述のように構成されているので、温度検出装置９の下降状態では、五徳５１上において調理容器４０を移動させるときに、温度検出装置９が邪魔になることがない。
【００３５】
また、温度検出装置９の上昇状態において、五徳５１上に調理容器４０が載置されたときに、固定側支持部材１１に配設された電磁石１６と、移動側支持筒１２に配設された永久磁石１５との反発力によって、移動側支持筒１２が上方に付勢され、当接体１３が調理容器４０の下面の上下位置に追随して上下するので、温度検出装置９によって調理容器４０の温度を適切に検出することができる。つまり、通電によって永久磁石１５に対して生じる反発力が、移動側支持筒１２を上方に向けて付勢する付勢力として作用するので、移動側支持筒１２を上方に向けて付勢するためのスプリングなどの付勢手段が不要になり、構造を簡素化することができる。
【００３６】
なお、電磁石１６に通電されていないときは、当接体１３と、移動側支持筒１２が自重によって下方に降下し、当接体１３の上端は、五徳５１の上端より下方に位置することになるので、五徳５１上において調理容器４０を移動させる際に、温度検出装置９が邪魔になることがない。
【００３７】
また、当接体１３が配設された移動側支持筒１２を上下方向に移動させるために移動側支持筒１２に電力供給用の導線を接続する必要がないため、調理容器４０からの煮汁などにより導線がガスコンロ本体に固着して、移動側支持筒１２の円滑な動作（上下動）が妨げられることもない。
【００３８】
ここで、上記切換手段により、温度検出装置９の下降状態と、上昇状態とを切り換える際の動作について説明する。
【００３９】
電磁石１６に対し、上方向にＮ極が生じ、下方向にＳ極が生じるように通電すると、図３に示すように、永久磁石１５と電磁石１６の反発力によって移動側支持筒１２が上昇し、当接体１３の上面が五徳５１の上端より上方に位置する温度検出装置９の上昇状態となる。
【００４０】
また、温度検出装置９の上昇状態において、五徳５１上に調理容器４０が載置されると（載置状態になると）、図４に示すように、当接体１３が降下して、当接体１３の上端と五徳５１の上端とが同一の高さになる。
【００４１】
そして、図４に示す、当接体１３が調理容器４０の底面に当接した状態では、永久磁石１５と電磁石１６との間に生じる反発力によって当接体１３は上方向に付勢され、当接体１３が調理容器４０の底面に所定の押圧力をともなって押し付けられた状態となり、当接体１３が調理容器４０の底面に確実に当接する。
【００４２】
次に、温度検出装置９の下降状態と、上昇状態とが切り換えられる際の動作を、図５に示した温度検出装置の昇降制御サブルーチンのフローチャートを参照しつつ、詳しく説明する。
【００４３】
まず、ステップ＃００１で点消火操作部２１ａによる点火操作の有無が判定される。
【００４４】
ステップ＃００１で点消火操作部２１ａによる点火操作が行われたと判定された場合は、ステップ＃００２に進み、電磁石１６に通電されリターンする。
【００４５】
一方、ステップ＃００１で点消火操作部２１ａによる点火操作が行われていないと判定された場合は、ステップ＃００３に進み、点消火操作部２１ａによる消火操作の有無が判定される。
【００４６】
そして、ステップ＃００３で点消火操作部２１ａによる消火操作が行われたと判定された場合は、ステップ＃００４で電磁石１６への通電を停止して（電磁石１６への通電がなされていない場合には電磁石１６への通電が行われていない状態を維持して）リターンする。
【００４７】
ステップ＃００３で点消火操作部２１ａによる消火操作なしと判定された場合は、そのままリターンする。
【００４８】
つまり、この実施形態のガスコンロＡにおいては、図５に示すように、点消火操作部２１ａによる点火指令の発令によって上昇状態に切り換えられ、点消火操作部２１ａによる消火指令の発令によって下降状態に切り換えられるように構成されている。そのため、点消火操作部２１ａの点消火操作によって上昇状態と下降状態とが切り換えられるので、使い勝手の良好なガスコンロ（温度検出装置を備えたガスコンロ）を実現することができる。
【００４９】
なお、この実施形態にかかるガスコンロＡでは、標準バーナ（コンロバーナ）１ａへの点消火を指令する点消火操作部２１ａと、特に図示しない制御手段とが、上述の下降状態と、上昇状態とを切り換える切換手段を構成するようにしているが、切換手段の構成はこの実施形態の構成に限られるものではなく、下記の別実施形態の欄でも説明するように、他の構成とすることが可能である。
【００５０】
また、この実施形態にかかるガスコンロＡでは、上述のように、永久磁石が移動側支持筒１２の下端側（中央よりも下側の位置）に配設され、電磁石１６が固定側支持部材１１の下端側（中央よりも下側の位置）に配設されているので、標準バーナ（コンロバーナ）１ａの加熱による永久磁石１５や電磁石１６への熱影響を抑制して、信頼性の高いガスコンロを提供することができる。
【００５１】
ただし、永久磁石が移動側支持筒１２の下部に配設され、電磁石１６が固定側支持部材１１の下部に配設されている構成は任意の構成であり、永久磁石が移動側支持筒１２の下部以外の位置に配設され、電磁石１６が固定側支持部材１１の下部以外の位置に配設されていてもよい。
【００５２】
［別実施形態］
上記実施形態では、標準バーナ（コンロバーナ）１ａへの点消火を指令する点消火操作部２１ａと、特に図示しない制御手段とが切換手段を構成している場合について説明したが、電源スイッチ２４と制御手段とが切換手段を構成するようにしてもよい。その場合、電源スイッチ２４の操作による制御手段への通電によって上昇状態に切り換えられ、電源スイッチ２４の操作により制御手段への通電を遮断したときに下降状態に切り換えられるように構成される。
なお、切換手段はさらに他の構成とすることも可能である。
【００５３】
このように電源スイッチ２４と制御手段とが切換手段を構成するようにした場合も、電源スイッチ２４の操作による、制御手段への通電および非通電によって上昇状態と下降状態とが切り換えられるので、使い勝手のよい温度検出装置を備えたガスコンロを実現することができる。
【００５４】
また、上記実施形態では、ドロップインコンロを例にとって説明したが、本発明はテーブルコンロにも適用することが可能である。
【００５５】
また、上記実施形態では、標準バーナが、温度を検出するための温度検出装置を備えるとともに、温度検出装置の下降状態と上昇状態とを切り換える切換手段を備えている場合を例にとって説明したが、標準バーナに限らず、高火力バーナや、小バーナが温度検出装置および切換手段を備えている構成とすることも可能である。
【００５６】
本発明はさらにその他の点においても上記実施形態に限定されるものではなく、本発明の範囲内において種々の変形を加えることが可能である。
【符号の説明】
【００５７】
１ａ        標準バーナ
１ｂ        高火力バーナ
１ｃ        小バーナ
２          コンロバーナの貫通口
４          グリル部
９          温度検出装置（温度センサ）
１１        固定側支持部材
１１ａ      固定側支持部材の一端側
１１ｂ      固定側支持部材の他端側
１２        移動側支持筒
１３        当接体
１４        サーミスタ
１５        永久磁石
１６        電磁石
２１（２１ａ，２１ｂ，２１ｃ）    点消火操作部（加熱状態調節部）
２２        グリルバーナ操作部
２４        電源スイッチ
２５        電源ランプ
３２        標準バーナ用の付加機能操作・表示部
３３        グリル用の付加機能操作・表示部
３４        手動操作部
４０        調理容器
４５        サーミスタ用リード線
５１        五徳
６１        固定部
Ａ          ガスコンロ
【図１】
2018031563.tif 000003
【図２】
2018031563.tif 000004
【図３】
2018031563.tif 000005
【図４】
2018031563.tif 000006
【図５】
2018031563.tif 000007